(57)【特許請求の範囲】
【請求項１】
架線から入力線路に供給された架線電力の電圧または電流をそれぞれ検出する第１の入力側検出部および第２の入力側検出部と、
前記入力線路に並列に接続され、前記入力線路に供給された電力をそれぞれ変換する第１の電力変換部および第２の電力変換部と、
前記第１の電力変換部により変換された電力を負荷側に出力する第１の状態と、前記第２の電力変換部により変換された電力を前記負荷側に出力する第２の状態とを切り替える系切替スイッチと、
前記系切替スイッチから前記負荷側に流れる電力の電流をそれぞれ検出する第１の出力側検出部および第２の出力側検出部と、
前記第１の入力側検出部により検出された電圧または電流、および前記第１の出力側検出部により検出された電流に基づいて前記第１の電力変換部を制御すると共に、前記第１の入力側検出部により検出された電圧または電流、および前記第１の出力側検出部により検出された電流を第２の制御装置に送信する第１の制御装置と、
前記第２の入力側検出部により検出された電圧または電流、および前記第２の出力側検出部により検出された電流に基づいて前記第２の電力変換部を制御すると共に、前記第２の入力側検出部により検出された電圧または電流、および前記第２の出力側検出部により検出された電流を前記第１の制御装置に送信する前記第２の制御装置と、を備え、
前記第１の制御装置と前記第２の制御装置とのうち少なくとも一方は、他方から受信した情報に基づいて、前記第１の入力側検出部、前記第２の入力側検出部、前記第１の出力側検出部、前記第２の出力側検出部、前記第１の電力変換部または前記第２の電力変換部の少なくとも一部を含む監視対象機器の異常を判定する、
電気車用電力変換システム。
【請求項２】
前記第１の電力変換部および前記第２の電力変換部のそれぞれの電力供給側に設けられた第１のコンデンサおよび第２のコンデンサと、
前記第１のコンデンサおよび前記第２のコンデンサをそれぞれ充放電させる第１の充放電部および第２の充放電部と、を更に備え、
前記第１の制御装置と前記第２の制御装置とのうち少なくとも一方は、他方から受信した情報に基づいて、前記第１の電力変換部または前記第２の電力変換部の少なくとも一部の異常を判定する、
請求項１に記載の電気車用電力変換システム。
【請求項３】
前記第１の制御装置と前記第２の制御装置とのうち少なくとも一方は、他方から受信した情報と前記第１の入力側検出部、前記第２の入力側検出部、前記第１の出力側検出部、または前記第２の出力側検出部により検出された検出情報とが一致せず、且つ前記一致しない検出情報が前記受信した情報と一致した検出情報と整合しない場合に、前記一致しない検出情報を検出した前記監視対象機器が異常であることを判定する、
請求項１または２に記載の電気車用電力変換システム。
【請求項４】
前記第１の制御装置と前記第２の制御装置は、前記監視対象機器としての前記系切替スイッチの状態をそれぞれ制御すると共に、制御結果を互いに送受信し、
前記第１の制御装置と前記第２の制御装置とのうち少なくとも一方は、他方から受信した制御結果に基づいて、前記系切替スイッチの異常を判定する、
請求項１から３のうちいずれか１項に記載の電気車用電力変換システム。
【請求項５】
前記架線電力を前記第１の電力変換部および前記第２の電力変換部側に供給する状態と、前記架線電力を遮断する状態との間で切り替える接触器を前記監視対象機器として更に備え、
前記第１の制御装置と前記第２の制御装置は、前記接触器の状態をそれぞれ制御すると共に、制御結果を互いに送受信し、
前記第１の制御装置と前記第２の制御装置とのうち少なくとも一方は、他方から受信した制御結果に基づいて、前記接触器の異常を判定する、
請求項１から４のうちいずれか１項に記載の電気車用電力変換システム。
【請求項６】
前記第１の制御装置と前記第２の制御装置とのうち少なくとも一方は、他方から受信した情報と前記制御結果とが一致しなく、且つ一致しない制御結果が前記受信した情報と一致した制御結果と整合しない場合に、一致しない制御結果を検出した前記監視対象機器が異常であると判定する、
請求項４または５に記載の電気車用電力変換システム。
【請求項７】
前記第１の制御装置は、前記系切替スイッチが前記第１の状態である場合において前記第１の制御装置が前記監視対象機器の異常を判定した場合、異常を判定した際の前記第１の入力側検出部により検出された電圧または電流、および前記第１の出力側検出部により検出された電流を前記第２の制御装置に送信すると共に所定の保護動作を行い、前記第２の制御装置は、前記第１の制御装置により送信された情報を第２の記憶部に記憶し、
前記第２の制御装置は、前記系切替スイッチが前記第２の状態である場合において前記第２の制御装置が前記監視対象機器の異常を判定した場合、異常を判定した際の前記第２の入力側検出部により検出された電圧または電流、および前記第２の出力側検出部により検出された電流を前記第１の制御装置に送信すると共に所定の保護動作を行い、前記第１の制御装置は、前記第２の制御装置により送信された情報を第１の記憶部に記憶する
請求項１から６のうちいずれか１項に記載の電気車用電力変換システム。
【請求項８】
前記第１の制御装置は、前記系切替スイッチが前記第１の状態である場合に前記第１の入力側検出部により検出された電圧または電流、および前記第１の出力側検出部により検出された電流を前記第２の制御装置に複数回送信し、
前記第２の制御装置は、前記第１の制御装置により送信された複数の情報に基づいて前記監視対象機器の異常を推定し、
前記第２の制御装置は、前記系切替スイッチが前記第２の状態である場合に前記第２の入力側検出部により検出された電圧または電流、および前記第２の出力側検出部により検出された電流を前記第１の制御装置に複数回送信し、
前記第１の制御装置は、前記第２の制御装置により送信された複数の情報に基づいて前記監視対象機器の異常を推定する、
請求項１から６のうちいずれか１項に記載の電気車用電力変換システム。
【発明の詳細な説明】
【技術分野】
【０００１】
本発明の実施形態は、電気車用電力変換システムに関する。
【背景技術】
【０００２】
電気車における電源装置を冗長化することで電気車の信頼性を高くすることができる。電気車において、電源装置および制御装置を含む系を二重化し、一方の電源装置および制御装置を稼働させると共に他方の電源装置および制御装置を停止させる待機二重系と称される方式が採用されている。この待機二重系において、稼働している電源装置および制御装置が正常に動作している場合、待機している電源装置および制御装置を有効に活用できない場合があった。
【先行技術文献】
【特許文献】
【０００３】
【特許文献１】特開２００２−１９１１０２号公報
【特許文献２】特開２００６−０７４９１６号公報
【発明の概要】
【発明が解決しようとする課題】
【０００４】
本発明が解決しようとする課題は、待機二重系において待機している装置を有効に活用することができる電気車用電力変換システムを提供することである。
【課題を解決するための手段】
【０００５】
実施形態の電気車用電力変換システムは、第１の入力側検出部および第２の入力側検出部と、第１の電力変換部および第２の電力変換部と、系切替スイッチと、第１の出力側検出部および第２の出力側検出部と、第１の制御装置と、第２の制御装置と、を持つ。前記第１の入力側検出部および第２の入力側検出部は、架線から入力線路に供給された架線電力の電圧または電流をそれぞれ検出する。前記第１の電力変換部および第２の電力変換部は、前記入力線路に並列に接続され、前記入力線路に供給された電力をそれぞれ変換する。前記系切替スイッチは、前記第１の電力変換部により変換された電力を負荷側に出力する第１の状態と、前記第２の電力変換部により変換された電力を前記負荷側に出力する第２の状態とを切り替える。前記第１の出力側検出部および第２の出力側検出部は、前記系切替スイッチから前記負荷側に流れる電力の電流をそれぞれ検出する。前記第１の制御装置は、前記第１の入力側検出部により検出された電圧または電流、および前記第１の出力側検出部により検出された電流に基づいて前記第１の電力変換部を制御すると共に、前記第１の入力側検出部により検出された電圧または電流、および前記第１の出力側検出部により検出された電流を第２の制御装置に送信する。前記第２の制御装置は、前記第２の入力側検出部により検出された電圧または電流、および前記第２の出力側検出部により検出された電流に基づいて前記第２の電力変換部を制御すると共に、前記第２の入力側検出部により検出された電圧または電流、および前記第２の出力側検出部により検出された電流を前記第１の制御装置に送信する。前記第１の制御装置と前記第２の制御装置とのうち少なくとも一方は、他方から受信した情報に基づいて、前記第１の入力側検出部、前記第２の入力側検出部、前記第１の出力側検出部、前記第２の出力側検出部、前記第１の電力変換部または前記第２の電力変換部の少なくとも一部を含む監視対象機器の異常を判定する。
【図面の簡単な説明】
【０００６】
【図１】第１の実施形態の電気車用電力変換システム１の一例を示す概略図。
【図２】第１の実施形態の電気車用電力変換システム１の一例を示す回路図。
【図３】第１の実施形態における稼働系制御部２００Ａおよび待機系制御部２００Ｂの一例を示すブロック図。
【図４】第１の実施形態における稼働系制御部２００Ａおよび待機系制御部２００Ｂの動作の流れの一例を示す図。
【図５】第２の実施形態における稼働系制御部２００Ａおよび待機系制御部２００Ｂの動作の流れの一例を示す図。
【図６】第３の実施形態における稼働系制御部２００Ａおよび待機系制御部２００Ｂの動作の流れの一例を示す図。
【図７】第４の実施形態における稼働系制御部２００Ａおよび待機系制御部２００Ｂの動作の流れの一例を示す図。
【発明を実施するための形態】
【０００７】
以下、実施形態の電気車用電力変換システムを、図面を参照して説明する。
【０００８】
（第１の実施形態）
図１は、第１の実施形態の電気車用電力変換システム１の一例を示す概略図である。図２は、第１の実施形態の電気車用電力変換システム１の一例を示す回路図である。電気車用電力変換システム１は、例えば鉄道車両に搭載される。鉄道車両は、電気車の一例である。電気車用電力変換システム１には、集電装置Ｐを介して、架線Ｗから直流電力が供給される。電気車用電力変換システム１は、直流電力を走行用交流電力に変換して、負荷３００に供給する。負荷３００は、例えば、鉄道車両の各種の設備に設けられたモータである。
【０００９】
電気車用電力変換システム１は、例えば、装置構成を二重化した待機二重系の電力変換システムである。待機二重系の電力変換システムは、２つの電源回路および制御部のうち一方の電源回路および制御部が稼働することで電力を負荷３００に供給し、他方の電源回路および制御装置が待機する。以下の説明において、二重化された電源装置および制御部を含む一方の系を「稼働系」と記載し、二重化された電源装置および制御部を含む他方の系を「待機系」と記載する。
【００１０】
電気車用電力変換システム１において、稼働している電源回路が故障した場合、待機している電源回路が稼働する電源回路に切り替わる。これにより、電気車用電力変換システム１は、負荷３００への出力電力の減少を抑制して、運転を継続する。以下の説明において、２つの電源回路のうち稼働している電源回路を稼働系電源回路１００Ａと記載し、待機している電源回路を待機系電源回路１００Ｂと記載する。
【００１１】
電気車用電力変換システム１は、図１に示すように、例えば、電気車用電源装置１００と、稼働系制御部２００Ａと、待機系制御部２００Ｂとを含む。電気車用電源装置１００は、稼働系電源回路１００Ａと、待機系電源回路１００Ｂとを含む。稼働系制御部２００Ａには、稼働系記憶部２１０Ａが接続されている。待機系制御部２００Ｂには、待機系記憶部２１０Ｂが接続されている。稼働系制御部２００Ａと待機系制御部２００Ｂとは、系間伝送線２００ａを介して接続されている。稼働系制御部２００Ａおよび待機系制御部２００Ｂとは、系間伝送線２００ａを介して通信を行うことで系間伝送を実現する。系間伝送とは、自身の電源装置に関する情報を相手の電源装置に送信し、相手の電源装置に関する情報を自身の電源装置により受信することである。
【００１２】
電気車用電源装置１００は、例えば、図２に示すように、接触器１０２と、第１の入力電圧センサ１０４Ａおよび第２の入力電圧センサ１０４Ｂと、第１の入力電流センサ１０６Ａおよび第２の入力電流センサ１０６Ｂと、第１の充放電回路１０８Ａおよび第２の充放電回路１０８Ｂと、第１の直流−交流変換回路１１０Ａおよび第２の直流−交流変換回路１１０Ｂと、系切替スイッチ１１２ａ〜１１２ｃと、第１の変換電流センサ１１４Ａおよび第２の変換電流センサ１１４Ｂと、フィルタ回路１１６と、絶縁変圧器１１８と、第１の出力電流センサ１２０Ａおよび第２の出力電流センサ１２０Ｂと、を含む。
【００１３】
接触器１０２、第１の入力電圧センサ１０４Ａ、第１の入力電流センサ１０６Ａ、第１の充放電回路１０８Ａ、第１の直流−交流変換回路１１０Ａ、系切替スイッチ１１２ａ〜１１２ｃ、第１の変換電流センサ１１４Ａ、フィルタ回路１１６、絶縁変圧器１１８、第１の出力電流センサ１２０Ａは、稼働系電源回路１００Ａに含まれる。接触器１０２、第２の入力電圧センサ１０４Ｂ、第２の入力電流センサ１０６Ｂ、第２の充放電回路１０８Ｂ、第１のフィルタコンデンサ１０９Ａおよび第２のフィルタコンデンサ１０９Ｂと、第２の直流−交流変換回路１１０Ｂ、系切替スイッチ１１２ａ〜１１２ｃ、第２の変換電流センサ１１４Ｂ、フィルタ回路１１６、絶縁変圧器１１８、第２の出力電流センサ１２０Ｂは、待機系電源回路１００Ｂに含まれる。接触器１０２、系切替スイッチ１１２ａ〜１１２ｃ、フィルタ回路１１６、および絶縁変圧器１１８は、二重化されず、稼働系電源回路１００Ａおよび待機系電源回路１００Ｂで共用される。
【００１４】
接触器１０２は、架線Ｗから架線電力が供給される入力線路の途中に設けられている。正極線ＰＬおよび負極線ＮＬは、入力線路に相当する。接触器１０２は、一方が集電装置Ｐに接続され、他方が第１の直流−交流変換回路１１０Ａおよび第２の直流−交流変換回路１１０Ｂ側に接続されている。接触器１０２は、稼働系制御部２００Ａまたは待機系制御部２００Ｂから供給された制御信号に従って、直流電力を遮断する遮断状態と、直流電力を供給する導通状態との間で状態を切り替える。接触器１０２は、状態を切り替えたことに応じて、状態を表すアンサー信号を稼働系制御部２００Ａまたは待機系制御部２００Ｂに出力する。
【００１５】
第１の入力電圧センサ１０４Ａおよび第２の入力電圧センサ１０４Ｂは、正極線ＰＬと負極線ＮＬとの間に接続されている。第１の入力電圧センサ１０４Ａおよび第２の入力電圧センサ１０４Ｂは、正極線ＰＬおよび負極線ＮＬに供給された架線電力の電圧をそれぞれ検出する。
【００１６】
第１の入力電流センサ１０６Ａおよび第２の入力電流センサ１０６Ｂは、正極線ＰＬの途中に設けられている。第１の入力電流センサ１０６Ａおよび第２の入力電流センサ１０６Ｂは、正極線ＰＬに供給された架線電力の電流をそれぞれ検出する。
【００１７】
第１の充放電回路１０８Ａおよび第２の充放電回路１０８Ｂは、正極線ＰＬと負極線ＮＬとの間に接続されている。第１の充放電回路１０８Ａは、例えば、正極線ＰＬの途中に設けられた充電用スイッチ、当該充電用スイッチと並列接続された抵抗体とを含む充電回路を有する。また、第１の充放電回路１０８Ａは、例えば、第１のフィルタコンデンサ１０９Ａに並列接続された放電用スイッチおよび放電用スイッチと直列接続された抵抗体を含む放電回路を有する。第２の充放電回路１０８Ｂは、例えば、正極線ＰＬから分岐した線路の途中に設けられた充電用スイッチ、当該充電用スイッチと並列接続された抵抗体とを含む充電回路を有する。また、第２の充放電回路１０８Ｂは、第２のフィルタコンデンサ１０９Ｂに並列接続された放電用スイッチおよび放電用スイッチと直列接続された抵抗体を含む放電回路を有する。
【００１８】
第１のフィルタコンデンサ１０９Ａおよび第２のフィルタコンデンサ１０９Ｂは、正極線ＰＬと負極線ＮＬとの間に接続されている。第１のフィルタコンデンサ１０９Ａは、鉄道車両の走行時において第１の充放電回路１０８Ａにより電力が充電される。第１のフィルタコンデンサ１０９Ａに充電された電力は、第１の直流−交流変換回路１１０Ａに供給される。第１のフィルタコンデンサ１０９Ａに充電された電力は、稼働系電源回路１００Ａの故障時に、第１の充放電回路１０８Ａにより放電される。第２のフィルタコンデンサ１０９Ｂは、鉄道車両の走行時において第２の充放電回路１０８Ｂにより電力が充電される。第２のフィルタコンデンサ１０９Ｂに充電された電力は、第２の直流−交流変換回路１１０Ｂに供給される。第２のフィルタコンデンサ１０９Ｂに充電された電力は、待機系電源回路１００Ｂの故障時に、第２の充放電回路１０８Ｂにより放電される。
【００１９】
第１の直流−交流変換回路１１０Ａおよび第２の直流−交流変換回路１１０Ｂは、正極線ＰＬと負極線ＮＬとの間にブリッジ接続された複数のスイッチング素子を含むスイッチング回路である。なお、第１の直流−交流変換回路１１０Ａおよび第２の直流−交流変換回路１１０Ｂは、インバータとも称される。第１の直流−交流変換回路１１０Ａは、稼働系制御部２００Ａの制御に従って、スイッチング素子を導通状態と遮断状態との間で切り替えることで、直流電力を三相交流電力に変換する。第２の直流−交流変換回路１１０Ｂは、待機系制御部２００Ｂの制御に従って、スイッチング素子を導通状態と遮断状態との間で切り替えることで、直流電力を三相交流電力に変換する。
【００２０】
系切替スイッチ１１２ａ〜１１２ｃは、第１の直流−交流変換回路１１０Ａに接続された入力端子と、第２の直流−交流変換回路１１０Ｂに接続された入力端子とをそれぞれ備える。系切替スイッチ１１２ａ〜１１２ｃは、第１の直流−交流変換回路１１０Ａ側の入力端子が出力端子に接続される状態と、第２の直流−交流変換回路１１０Ｂ側の入力端子が出力端子に接続される状態との間で切り替える。系切替スイッチ１１２ａ〜１１２ｃの状態の切替は、稼働系制御部２００Ａおよび待機系制御部２００Ｂから供給された制御信号に従って行われる。系切替スイッチ１１２ａ〜１１２ｃは、状態を切り替えたことに応じて、状態を表すアンサー信号を稼働系制御部２００Ａおよび待機系制御部２００Ｂに出力する。
【００２１】
第１の変換電流センサ１１４Ａおよび第２の変換電流センサ１１４Ｂは、系切替スイッチ１１２ａ〜１１２ｃから負荷３００側に流れる電力の電流をそれぞれ検出する。
【００２２】
フィルタ回路１１６は、例えば、コイルおよびコンデンサを含む。フィルタ回路１１６は、系切替スイッチ１１２ａ〜１１２ｃから負荷３００側に流れる電力の波形を滑らかにする。
【００２３】
絶縁変圧器１１８は、電気車用電源装置１００における直流回路を負荷３００と絶縁する。また、絶縁変圧器１１８は、フィルタ回路１１６から負荷３００側に流れる電力を任意の電圧に変換し、電圧変換した電力を負荷３００に供給する。
【００２４】
第１の出力電流センサ１２０Ａおよび第２の出力電流センサ１２０Ｂは、絶縁変圧器１１８から負荷３００に流れる電力の電流をそれぞれ検出する。
【００２５】
図３は、第１の実施形態における稼働系制御部２００Ａおよび待機系制御部２００Ｂの一例を示すブロック図である。
【００２６】
稼働系制御部２００Ａは、稼働側判定部２０２Ａと、稼働側通信部２０４Ａとを含む。稼働系制御部２００Ａは、例えばＣＰＵ（Central Processing Unit）等のプロセッサがプログラムメモリに格納されたプログラムを実行することにより実現される。また、稼働系制御部２００Ａは、ＬＳＩ（Large Scale Integration）、ＡＳＩＣ（Application Specific Integrated Circuit）、またはＦＰＧＡ（Field-Programmable Gate Array）等のハードウェアにより実現されてもよい。稼働側判定部２０２Ａは、稼働系電源回路１００Ａにおける故障を判定する。稼働側通信部２０４Ａは、待機系制御部２００Ｂとの間で通信を行う通信インターフェース回路である。
【００２７】
稼働系制御部２００Ａは、接触器１０２と、第１の入力電圧センサ１０４Ａと、第１の入力電流センサ１０６Ａと、第１の充放電回路１０８Ａと、第１の直流−交流変換回路１１０Ａと、系切替スイッチ１１２ａ〜１１２ｃと、第１の変換電流センサ１１４Ａと、第１の出力電流センサ１２０Ａとに接続されている。稼働系制御部２００Ａには、第１の入力電圧センサ１０４Ａ、第１の入力電流センサ１０６Ａ、第１の変換電流センサ１１４Ａ、および第１の出力電流センサ１２０Ａにより検出した電流または電圧に基づく信号を、検出情報として取得する。稼働系制御部２００Ａは、接触器１０２、第１の充放電回路１０８Ａ、第１の直流−交流変換回路１１０Ａ、系切替スイッチ１１２ａ〜１１２ｃに制御信号を供給する。
【００２８】
稼働系制御部２００Ａは、各種の情報を稼働系記憶部２１０Ａに記憶する。稼働系記憶部２１０Ａは、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。また、稼働系記憶部２１０Ａには、稼働系制御部２００Ａにより実行されるファームウェアやアプリケーションプログラム等の各種プログラム、稼働系電源回路１００Ａにおける検出情報、接点情報などの制御結果、および系間伝送により受信した情報などが記憶される。
【００２９】
待機系制御部２００Ｂは、待機側判定部２０２Ｂと、待機側通信部２０４Ｂとを含む。待機系制御部２００Ｂは、例えばＣＰＵ等のプロセッサがプログラムメモリに格納されたプログラムを実行することにより実現される。また、待機系制御部２００Ｂは、ＬＳＩ、ＡＳＩＣ、またはＦＰＧＡ等のハードウェアにより実現されてもよい。待機側判定部２０２Ｂは、待機系電源回路１００Ｂにおける故障を判定する。待機側通信部２０４Ｂは、稼働系制御部２００Ａとの間で通信を行う通信インターフェース回路である。
【００３０】
待機系制御部２００Ｂは、各種の情報を待機系記憶部２１０Ｂに記憶する。待機系記憶部２１０Ｂは、例えば、ＨＤＤ、フラッシュメモリ、ＥＥＰＲＯＭ、ＲＯＭ、またはＲＡＭ等により実現される。また、待機系記憶部２１０Ｂには、待機系制御部２００Ｂにより実行されるファームウェアやアプリケーションプログラム等の各種プログラム、待機系電源回路１００Ｂにおける検出情報、接点情報などの制御結果、および系間伝送により受信した情報などが記憶される。
【００３１】
待機系制御部２００Ｂは、接触器１０２と、第２の入力電圧センサ１０４Ｂ、第２の入力電流センサ１０６Ｂと、第２の充放電回路１０８Ｂと、第２の直流−交流変換回路１１０Ｂと、系切替スイッチ１１２ａ〜１１２ｃと、第２の変換電流センサ１１４Ｂと、第２の出力電流センサ１２０Ｂとに接続されている。待機系制御部２００Ｂには、第２の入力電圧センサ１０４Ｂ、第２の入力電流センサ１０６Ｂ、第２の変換電流センサ１１４Ｂ、および第２の出力電流センサ１２０Ｂにより検出した電流または電圧に基づく信号を、検出情報として取得する。待機系制御部２００Ｂは、接触器１０２、第２の充放電回路１０８Ｂ、第２の直流−交流変換回路１１０Ｂ、系切替スイッチ１１２ａ〜１１２ｃに制御信号を供給する。
【００３２】
以下、上述した電気車用電力変換システム１において、稼働系制御部２００Ａおよび待機系制御部２００Ｂのそれぞれが、系間伝送により受信した情報に基づいて、稼働系電源回路１００Ａおよび待機系電源回路１００Ｂに含まれる監視対象機器の異常を判定することについて説明する。監視対象機器は、第１の入力電圧センサ１０４Ａおよび第１の入力電流センサ１０６Ａを含む第１の入力側検出部、第２の入力電圧センサ１０４Ｂおよび第２の入力電流センサ１０６Ｂを含む第２の出力電流センサ１２０Ｂを含む第２の入力側検出部、第１の変換電流センサ１１４Ａおよび第１の出力電流センサ１２０Ａを含む第１の出力側検出部、第２の変換電流センサ１１４Ｂおよび第２の出力電流センサ１２０Ｂを含む第２の出力側検出部、第１の直流−交流変換回路１１０Ａおよび第２の直流−交流変換回路１１０Ｂの少なくとも一部を含む。
【００３３】
図４は、第１の実施形態における稼働系制御部２００Ａおよび待機系制御部２００Ｂの動作の流れの一例を示す図である。
【００３４】
稼働系制御部２００Ａは、制御電源が投入された場合（ステップＳ１００Ａ）、インストールされたソフトウェアを起動することで（ステップＳ１０２Ａ）、系間伝送を開始する（ステップＳ１０４Ａ）。待機系制御部２００Ｂは、制御電源が投入された場合（ステップＳ１００Ｂ）、インストールされたソフトウェアを起動することで（ステップＳ１０２Ｂ）、系間伝送を開始する（ステップＳ１０４Ｂ）。稼働系制御部２００Ａは、稼働側通信部２０４Ａを用いて、検出値を送受信する（ステップＳ１０６Ａ）。また、待機系制御部２００Ｂは、待機側通信部２０４Ｂを用いて、検出値を送受信する（ステップＳ１０６Ｂ）。これにより、稼働系制御部２００Ａは、系内情報としての検出値を、系間伝送線２００ａを介して待機系制御部２００Ｂに送信すると共に、系外情報としての検出値を、系間伝送線２００ａを介して待機系制御部２００Ｂから受信する。また、待機系制御部２００Ｂは、系内情報としての検出値を、系間伝送線２００ａを介して稼働系制御部２００Ａに送信すると共に、系外情報としての検出値を、系間伝送線２００ａを介して稼働系制御部２００Ａから受信する。
【００３５】
次に、稼働系制御部２００Ａの稼働側判定部２０２Ａは、稼働系電源回路１００Ａにおいて検出された検出値と、稼働側通信部２０４Ａにより受信した値とが一致するか否かを判定する（ステップＳ１０８Ａ）。なお、稼働側判定部２０２Ａは、稼働系電源回路１００Ａにおいて検出された検出値と、稼働側通信部２０４Ａにより受信した値との差が所定の範囲内である場合に、稼働系電源回路１００Ａにおいて検出された検出値と、稼働側通信部２０４Ａにより受信した値とが一致すると判定してよい。具体的には、稼働側判定部２０２Ａは、第１の入力電圧センサ１０４Ａの検出値と第２の入力電圧センサ１０４Ｂの検出値が一致しているか否かを判定する。稼働側判定部２０２Ａは、第１の入力電流センサ１０６Ａの検出値と、第２の入力電流センサ１０６Ｂの検出値が一致しているか否かを判定する。稼働側判定部２０２Ａは、第１の変換電流センサ１１４Ａの検出値と第２の変換電流センサ１１４Ｂの検出値が一致しているか否かを判定する。稼働側判定部２０２Ａは、第１の出力電流センサ１２０Ａの検出値と第２の出力電流センサ１２０Ｂの検出値が一致しているか否かを判定する。稼働側判定部２０２Ａは、第１の入力電流センサ１０６Ａ、第１の変換電流センサ１１４Ａ、および第１の出力電流センサ１２０Ａにより検出された検出値のそれぞれと、第２の入力電圧センサ１０４Ｂ、第２の入力電流センサ１０６Ｂ、第２の変換電流センサ１１４Ｂ、および第２の出力電流センサ１２０Ｂにより検出された検出値のそれぞれとが一致する場合、本フローチャートの処理を終了する。
【００３６】
ステップＳ１０８Ａと同様に、待機系制御部２００Ｂの待機側判定部２０２Ｂは、待機系電源回路１００Ｂにおいて検出された検出値と、待機側通信部２０４Ｂにより受信した値とが一致するか否かを判定する（ステップＳ１０８Ｂ）。
【００３７】
稼働側判定部２０２Ａは、第１の入力電圧センサ１０４Ａ、第１の入力電流センサ１０６Ａ、第１の変換電流センサ１１４Ａ、および第１の出力電流センサ１２０Ａにより検出された検出値のそれぞれと、第２の入力電圧センサ１０４Ｂ、第２の入力電流センサ１０６Ｂ、第２の変換電流センサ１１４Ｂ、および第２の出力電流センサ１２０Ｂのそれぞれとが一致しない場合、一致しない検出値が他の検出値と整合しているか否かを判定する（ステップＳ１１０Ａ）。
【００３８】
稼働側判定部２０２Ａは、例えば、第１の直流−交流変換回路１１０Ａまたは絶縁変圧器１１８の入力側の検出値と出力側の検出値とを比較することで、整合性を判定してよい。稼働側判定部２０２Ａは、第１の直流−交流変換回路１１０Ａまたは絶縁変圧器１１８の出力側の検出値から求められる電力が入力側の検出値から求められる電力よりも内部の損失分しか変化していない場合、出力側の検出値と入力側の検出値との間に整合性があると判定する。具体的には、稼働側判定部２０２Ａは、第１の入力電流センサ１０６Ａの検出値から求められる電力が、第１の変換電流センサ１１４Ａの検出値から求められる電力よりも内部の損失分だけ大きい場合、第１の入力電流センサ１０６Ａの検出値が第１の変換電流センサ１１４Ａの検出値と整合していると判定する。稼働側判定部２０２Ａは、一致しない検出値が他の検出値と整合している場合、ステップＳ１０６Ａに処理を戻す。
【００３９】
ステップＳ１１０Ａと同様に、待機側判定部２０２Ｂは、第２の入力電圧センサ１０４Ｂ、第２の入力電流センサ１０６Ｂ、第２の変換電流センサ１１４Ｂ、および第２の出力電流センサ１２０Ｂにより検出された検出値のそれぞれと、受信した第１の入力電圧センサ１０４Ａ、第１の入力電流センサ１０６Ａ、第１の変換電流センサ１１４Ａ、および第１の出力電流センサ１２０Ａの検出値とのそれぞれとが一致しない場合、一致しない検出値が他の検出値と整合しているか否かを判定する（ステップＳ１１０Ｂ）。
【００４０】
稼働側判定部２０２Ａは、一致しない検出値が他の検出値と整合していない場合、稼働系電源回路１００Ａにおける検出異常を検知する（ステップＳ１１２Ａ）。稼働系制御部２００Ａは、稼働側判定部２０２Ａにより検出異常が検知されたことに応じて、所定の保護動作を行う（ステップＳ１１４Ａ）。稼働系制御部２００Ａは、所定の保護動作として、例えば、第１の充放電回路１０８Ａを用いて、第１のフィルタコンデンサ１０９Ａに充電された電力を放電する。
【００４１】
ステップＳ１１２Ａと同様に、待機側判定部２０２Ｂは、一致しない検出値が他の検出値と整合していない場合、待機系電源回路１００Ｂにおける検出異常を検知する（ステップＳ１１２Ｂ）。待機系制御部２００Ｂは、待機側判定部２０２Ｂにより検出異常が検知されたことに応じて、保護動作を行う（ステップＳ１１４Ｂ）。
【００４２】
なお、上述したフローチャートの処理は、稼働系制御部２００Ａおよび待機系制御部２００Ｂの双方が監視対象機器の異常を判定するものとしたが、これに限定されず、稼働系制御部２００Ａおよび待機系制御部２００Ｂの少なくとも一方が監視対象機器の異常を判定してよい。
【００４３】
以上説明した第１の実施形態の電気車用電力変換システム１によれば、稼働系電源回路１００Ａにおける検出値と待機系電源回路１００Ｂにおける検出値とが一致しない場合に、検出異常を検出することできる。この結果、電気車用電力変換システム１によれば、待機二重系において待機系電源回路１００Ｂおよび待機系制御部２００Ｂを有効に活用することができる。
【００４４】
（第２の実施形態）
以下、第２の実施形態について説明する。第２の実施形態の電気車用電力変換システム１は、稼働系制御部２００Ａと待機系制御部２００Ｂとの間で接触器１０２の状態をそれぞれ制御すると共に制御結果を互いに送受信し、受信した制御結果に基づいて、接触器１０２の異常を判定する。以下、この点を中心に説明する。図５は、第２の実施形態における稼働系制御部２００Ａおよび待機系制御部２００Ｂの動作の流れの一例を示す図である。
【００４５】
稼働系制御部２００Ａは、制御電源が投入された場合（ステップＳ２００Ａ）、インストールされたソフトウェアを起動することで（ステップＳ２０２Ａ）、系間伝送を開始する（ステップＳ２０４Ａ）。待機系制御部２００Ｂは、制御電源が投入された場合（ステップＳ２００Ｂ）、インストールされたソフトウェアを起動することで（ステップＳ２０２Ｂ）、系間伝送を開始する（ステップＳ２０４Ｂ）。稼働系制御部２００Ａは、稼働側通信部２０４Ａを用いて、接点情報を送受信する（ステップＳ２０６Ａ）。また、待機系制御部２００Ｂは、待機側通信部２０４Ｂを用いて、接点情報を送受信する（ステップＳ２０６Ｂ）。これにより、稼働系制御部２００Ａは、系内情報としての接点情報を、系間伝送線２００ａを介して待機系制御部２００Ｂに送信すると共に、系外情報としての接点情報を、系間伝送線２００ａを介して待機系制御部２００Ｂから受信する。また、待機系制御部２００Ｂは、系内情報としての接点情報を、系間伝送線２００ａを介して稼働系制御部２００Ａに送信すると共に、系外情報としての接点情報を、系間伝送線２００ａを介して稼働系制御部２００Ａから受信する。
【００４６】
接点情報は、接触器１０２に制御信号を送信したことに対するアンサー信号であってよいが、これに限定されない。接点情報は、系切替スイッチ１１２ａ〜１１２ｃに制御信号を送信したことに対するアンサー信号であってよく、さらには、接触器１０２および系切替スイッチ１１２ａ〜１１２ｃから供給されたアンサー信号の双方を含んでよい。
【００４７】
次に、稼働系制御部２００Ａの稼働側判定部２０２Ａは、稼働系電源回路１００Ａにおいて取得された接点情報と、稼働側通信部２０４Ａにより受信した接点情報とが一致するか否かを判定する（ステップＳ２０８Ａ）。稼働側判定部２０２Ａは、稼働系電源回路１００Ａにおいて取得された接点情報と、稼働側通信部２０４Ａにより受信した接点情報とが一致する場合、本フローチャートの処理を終了する。
【００４８】
ステップＳ２０８Ａと同様に、待機系制御部２００Ｂの待機側判定部２０２Ｂは、待機系電源回路１００Ｂにおいて取得された接点情報と、稼働側通信部２０４Ａにより受信した接点情報とが一致するか否かを判定する（ステップＳ２０８Ｂ）。
【００４９】
稼働側判定部２０２Ａは、待機系電源回路１００Ｂにおいて取得された接点情報と、稼働側通信部２０４Ａにより受信した接点情報とが一致しない場合、一致しない接点情報が他の情報と整合しているか否かを判定する（ステップＳ２１０Ａ）。
【００５０】
稼働側判定部２０２Ａは、稼働系電源回路１００Ａの動作シーケンスに基づく接点の状態と、稼働系制御部２００Ａにより取得した接点情報を比較する。稼働系電源回路１００Ａの動作シーケンスが「稼働中」である場合、接触器１０２は導通状態となっているはずである。稼働側判定部２０２Ａは、稼働系電源回路１００Ａの動作シーケンスが「稼働中」であり、且つ稼働系制御部２００Ａが取得した接点情報が「遮断状態」である場合、稼働系制御部２００Ａにより取得した接点情報が、稼働系電源回路１００Ａの動作シーケンスと整合していないと判定する。
【００５１】
また、稼働側判定部２０２Ａは、稼働系制御部２００Ａが取得した接点情報と、第１の入力電圧センサ１０４Ａ、第１の入力電流センサ１０６Ａ、第１の変換電流センサ１１４Ａ、または第１の出力電流センサ１２０Ａの検出値とが整合しているかを判定してよい。第１の入力電圧センサ１０４Ａ、第１の入力電流センサ１０６Ａ、第１の変換電流センサ１１４Ａ、または第１の出力電流センサ１２０Ａの検出値が稼働中に検出される値である場合、接触器１０２は導通状態となっているはずである。稼働側判定部２０２Ａは、稼働系電源回路１００Ａにおける検出値が稼働中に検出される値であり、且つ稼働系制御部２００Ａが取得した接点情報が「遮断状態」である場合、稼働系制御部２００Ａにより取得した接点情報が、検出値と整合していないと判定する。稼働側判定部２０２Ａは、一致しない接点情報が他の情報と整合している場合、ステップＳ２０８Ａに処理を戻す。
【００５２】
ステップＳ２１０Ａと同様に、待機側判定部２０２Ｂは、待機系電源回路１００Ｂにおいて取得された接点情報と、待機側通信部２０４Ｂにより受信した接点情報とが一致しない場合、一致しない接点情報が他の情報と整合しているか否かを判定する（ステップＳ２１０Ｂ）。
【００５３】
稼働側判定部２０２Ａは、一致しない接点情報が他の情報と整合している場合、稼働系電源回路１００Ａにおける接点異常を検知する（ステップＳ２１２Ａ）。稼働系制御部２００Ａは、稼働側判定部２０２Ａにより接点異常が検知されたことに応じて、保護動作を行う（ステップＳ２１４Ａ）。稼働側判定部２０２Ａは、一致しない接点情報が他の情報と整合していない場合、稼働系電源回路１００Ａにおける制御部異常を検知する（ステップＳ２１３Ａ）。稼働系制御部２００Ａは、稼働側判定部２０２Ａにより制御部異常が検知されたことに応じて、保護動作を行う（ステップＳ２１４Ａ）。
【００５４】
ステップＳ２１２Ａと同様に、待機側判定部２０２Ｂは、一致しない接点情報が他の情報と整合している場合、待機系電源回路１００Ｂにおける接点異常を検知する（ステップＳ２１２Ｂ）。待機系制御部２００Ｂは、待機側判定部２０２Ｂにより接点異常が検知されたことに応じて、保護動作を行う（ステップＳ２１４Ｂ）。待機側判定部２０２Ｂは、一致しない接点情報が他の情報と整合していない場合、待機系電源回路１００Ｂにおける制御部異常を検知する（ステップＳ２１３Ｂ）。待機系制御部２００Ｂは、待機側判定部２０２Ｂにより制御部異常が検知されたことに応じて、保護動作を行う（ステップＳ２１４Ｂ）。
【００５５】
以上説明した第２の実施形態の電気車用電力変換システム１によれば、稼働系電源回路１００Ａにおける接点情報と待機系電源回路１００Ｂにおける接点情報とが一致しない場合に、接点異常を検出することできる。この結果、電気車用電力変換システム１によれば、待機二重系において待機している待機系電源回路１００Ｂおよび待機系制御部２００Ｂを有効に活用することができる。
【００５６】
また、第２の実施形態の電気車用電力変換システム１によれば、鉄道車両の車両情報システムなどの外部装置と通信を行って接触器１０２や系切替スイッチ１１２ａ〜１１２ｃの異常を検出する必要がない。この結果、電気車用電力変換システム１によれば、接点異常の検出を自己完結化することができる。
【００５７】
（第３の実施形態）
以下、第３の実施形態について説明する。第３の実施形態の電気車用電力変換システム１は、稼働系制御部２００Ａが稼働系電源回路１００Ａの異常を判定した場合、稼働系制御部２００Ａにより異常を判定した際の検出値を待機系制御部２００Ｂに送信すると共に所定の保護動作を行い、待機系制御部２００Ｂにより、稼働系制御部２００Ａにより送信された情報を待機系記憶部２１０Ｂに記憶する。以下、この点を中心に説明する。図６は、第３の実施形態における稼働系制御部２００Ａおよび待機系制御部２００Ｂの動作の流れの一例を示す図である。
【００５８】
稼働系制御部２００Ａは、制御電源が投入された場合（ステップＳ３００Ａ）、インストールされたソフトウェアを起動することで（ステップＳ３０２Ａ）、系間伝送を開始する（ステップＳ３０４Ａ）。待機系制御部２００Ｂは、制御電源が投入された場合（ステップＳ３００Ｂ）、インストールされたソフトウェアを起動することで（ステップＳ３０２Ｂ）、系間伝送を開始する（ステップＳ３０４Ｂ）。稼働系制御部２００Ａは、稼働側通信部２０４Ａを用いて、系内情報を送受信する（ステップＳ３０６Ａ）。また、待機系制御部２００Ｂは、待機側通信部２０４Ｂを用いて、系内情報を送受信する（ステップＳ３０６Ｂ）。系内情報は、検出値および／または接点情報を含む。
【００５９】
稼働系制御部２００Ａは、自身または稼働系電源回路１００Ａが故障を検知したか否かを判定する（ステップＳ３０８Ａ）。稼働系制御部２００Ａは、故障を検知していない場合、本フローチャートの処理を終了する。稼働系制御部２００Ａは、故障を検知した場合、検出値および／または接点情報を稼働系記憶部２１０Ａに記憶することなく、稼働系電源回路１００Ａにおける検出値および／または接点情報を含む系内情報を、稼働系情報として待機系制御部２００Ｂに伝送する（ステップＳ３１０Ａ）。その後、稼働系制御部２００Ａは、保護動作を行う（ステップＳ３１２Ａ）。
【００６０】
待機系制御部２００Ｂは、稼働系制御部２００Ａにより伝送された稼働系情報を受信した場合、受信した稼働系情報を、故障記録として待機系記憶部２１０Ｂに記憶する（ステップＳ３０８Ｂ）。
【００６１】
次に、稼働系制御部２００Ａは、系切替が必要か否かを判定する（ステップＳ３１４Ａ）。稼働系制御部２００Ａは、系切替が必要でない場合、稼働系電源回路１００Ａの稼働を継続させる（ステップＳ３１６Ａ）。稼働系制御部２００Ａは、系切替が必要である場合、稼働系電源回路１００Ａを停止させる通知情報を待機系制御部２００Ｂに送信した後、稼働系電源回路１００Ａの稼働を停止させる（ステップＳ３１８Ａ）。
【００６２】
待機系制御部２００Ｂは、系切替が必要か否かを判定する（ステップＳ３１０Ｂ）。待機系制御部２００Ｂは、系切替が必要でない場合、待機系電源回路１００Ｂの待機を継続させる（ステップＳ３１２Ｂ）。待機系制御部２００Ｂは、稼働系制御部２００Ａから稼働系電源回路１００Ａを停止させる通知情報を受信した場合に、系切替が必要であると判定して、待機系電源回路１００Ｂの稼働を開始させる（ステップＳ３１４Ａ）。
【００６３】
以上説明した第３の実施形態の電気車用電力変換システム１によれば、稼働系電源回路１００Ａまたは稼働系制御部２００Ａが故障した場合に、稼働系情報を稼働系記憶部２１０Ａに記憶することなく、待機系記憶部２１０Ｂに記憶させることができる。電気車用電力変換システム１によれば、稼働系電源回路１００Ａの保護動作を稼働系制御部２００Ａにより実行させる一方で、故障記録の収集動作を稼働系制御部２００Ａに実行させることができる。すなわち、保護動作と故障記録の収集動作を稼働系と待機系とに分配することができる。この結果、電気車用電力変換システム１によれば、故障発生時における稼働系の処理を軽減することができる。
【００６４】
（第４の実施形態）
以下、第４の実施形態について説明する。第４の実施形態の電気車用電力変換システム１は、稼働系電源回路１００Ａにおける検出値を稼働系制御部２００Ａから待機系制御部２００Ｂに複数回送信し、待機系制御部２００Ｂにより、稼働系制御部２００Ａにより送信された複数の情報に基づいて稼働系電源回路１００Ａの異常を推定する。以下、この点を中心に説明する。図７は、第４の実施形態における稼働系制御部２００Ａおよび待機系制御部２００Ｂの動作の流れの一例を示す図である。
【００６５】
稼働系制御部２００Ａは、制御電源が投入された場合（ステップＳ４００Ａ）、インストールされたソフトウェアを起動することで（ステップＳ４０２Ａ）、系間伝送を開始する（ステップＳ４０４Ａ）。待機系制御部２００Ｂは、制御電源が投入された場合（ステップＳ４００Ｂ）、インストールされたソフトウェアを起動することで（ステップＳ４０２Ｂ）、系間伝送を開始する（ステップＳ４０４Ｂ）。稼働系制御部２００Ａは、稼働側通信部２０４Ａを用いて、系内情報を送受信する（ステップＳ４０６Ａ）。稼働系電源回路１００Ａの稼働中において、稼働系制御部２００Ａは、稼働系電源回路１００Ａにおける検出値および／または接点情報を含む系内情報を、稼働系情報として待機系制御部２００Ｂに伝送する（ステップＳ４０８Ａ）。
【００６６】
待機系制御部２００Ｂは、稼働系制御部２００Ａにより伝送された稼働系情報を受信した場合、受信した稼働系情報を、待機系記憶部２１０Ｂに記憶する（ステップＳ４０８Ｂ）。稼働系制御部２００Ａが稼働系情報を複数回伝送することで、待機系制御部２００Ｂは、待機系記憶部２１０Ｂに複数の稼働系情報を収集することができる。稼働系制御部２００Ａが稼働系情報を複数回伝送することは、時間的に前後する稼働系情報を送信することを含む。
【００６７】
待機系制御部２００Ｂは、待機系記憶部２１０Ｂに記憶された稼働系情報の推移を分析する（ステップＳ４１０Ｂ）。待機系制御部２００Ｂは、稼働系情報の推移を分析した結果、稼働系電源回路１００Ａに異常がないか否かを判定する（ステップＳ４１２Ｂ）。待機系制御部２００Ｂは、例えば、検出値が稼働中の値から所定の閾値未満に低下した場合、稼働系電源回路１００Ａの異常があると判定する。
【００６８】
待機系制御部２００Ｂは、稼働系電源回路１００Ａの異常がない場合、待機系電源回路１００Ｂの待機を継続させる（ステップＳ４１４Ｂ）。待機系制御部２００Ｂは、稼働系電源回路１００Ａの異常がある場合、異常を通知する（ステップＳ４１６Ａ）。
【００６９】
以上説明した第４の実施形態の電気車用電力変換システム１によれば、待機系制御部２００Ｂにより稼働系情報を収集して、収集した稼働系情報の推移を分析することで稼働系電源回路１００Ａの異常を検知することができる。電気車用電力変換システム１によれば、稼働系制御部２００Ａの処理負荷を増加させることなく、稼働系電源回路１００Ａの異常を診断することができる。この結果、電気車用電力変換システム１によれば、待機二重系において待機系制御部２００Ｂを有効に活用することができる。
【００７０】
また、電気車用電力変換システム１によれば、稼働系情報の推移を分析することにより、稼働系電源回路１００Ａにおける部品劣化を診断することができる。また、電気車用電力変換システム１によれば、稼働系電源回路１００Ａにおける部品の状態に応じた効率の良いメンテナンス手法を適用できる。さらに、電気車用電力変換システム１によれば、故障に至る前に稼働系電源回路１００Ａの異常を通知することができ、保全性能や安全性能の向上に寄与することができる。
【００７１】
以上説明した少なくともひとつの実施形態によれば、架線電力の電圧および電流をそれぞれ検出する第１の入力電圧センサ１０４Ａ、第２の入力電圧センサ１０４Ｂ、第１の入力電流センサ１０６Ａ、および第２の入力電流センサ１０６Ｂと、第１の直流−交流変換回路１１０Ａおよび第２の直流−交流変換回路１１０Ｂと、系切替スイッチ１１２ａ〜１１２ｃと、第１の変換電流センサ１１４Ａ、第２の変換電流センサ１１４Ｂ、第１の出力電流センサ１２０Ａ、および第２の出力電流センサ１２０Ｂと、稼働系制御部２００Ａおよび待機系制御部２００Ｂと、を持ち、稼働系制御部２００Ａおよび待機系制御部２００Ｂにより、系間伝送により受信した情報に基づいて、監視対象機器の異常を判定するので、待機二重系において待機系電源回路１００Ｂおよび待機系制御部２００Ｂを有効に活用することができる。
【００７２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７３】
１…電気車用電力変換システム、１００…電気車用電源装置、１００Ａ…稼働系電源回路、１００Ｂ…待機系電源回路、１０２…接触器、１０４Ａ…第１の入力電圧センサ、１０４Ｂ…第２の入力電圧センサ、１０６Ａ…第１の入力電流センサ、１０６Ｂ…第２の入力電流センサ、１０８Ａ…第１の充放電回路、１０８Ｂ…第２の充放電回路、１０９Ａ…第１のフィルタコンデンサ、１０９Ｂ…第２のフィルタコンデンサ、１１０Ａ…第１の直流−交流変換回路、１１０Ｂ…第２の直流−交流変換回路、１１２ａ…系切替スイッチ、１１２ｂ…系切替スイッチ、１１２ｃ…系切替スイッチ、１１４Ａ…第１の変換電流センサ、１１４Ｂ…第２の変換電流センサ、１１８…絶縁変圧器、１２０Ａ…第１の出力電流センサ、１２０Ｂ…第２の出力電流センサ、２００ａ…系間伝送線、２００Ａ…稼働系制御部、２００Ｂ…待機系制御部、２０２Ａ…稼働側判定部、２０２Ｂ…待機側判定部、２０４Ａ…稼働側通信部、２０４Ｂ…待機側通信部、２１０Ａ…稼働系記憶部、２１０Ｂ…待機系記憶部
【図１】
0006725329.tif 000002
【図２】
0006725329.tif 000003
【図３】
0006725329.tif 000004
【図４】
0006725329.tif 000005
【図５】
0006725329.tif 000006
【図６】
0006725329.tif 000007
【図７】
0006725329.tif 000008